(57)【要約】【課題】ユーザが欲する機能を容易かつ迅速に起動させることが可能な船舶レーダー表示装置を提供する。【解決手段】船舶レーダーによる処理画像を表示する表示部３と、各種機能に対応するメニュー項目を階層構造のメニューに入れて表示部３に表示するメニュー処理部５と、外部から情報や指令を入力する入力部４と、を備え、メニュー処理部５は、入力部４から有効なメニュー項目として入力されたメニュー項目のみをメニューに入れる。これにより、ユーザにとって不要なメニュー項目を非表示にすることができる。【選択図】図４
2019020257.tif 000002
【特許請求の範囲】
【請求項１】
船舶レーダーによる処理画像を表示する表示部と、
各種機能に対応するメニュー項目を階層構造のメニューに入れて前記表示部に表示するメニュー処理部と、
外部から情報や指令を入力する入力部と、
を備え、前記メニュー処理部は、前記入力部から有効なメニュー項目として入力されたメニュー項目のみを前記メニューに入れる、
ことを特徴とする船舶レーダー表示装置。
【請求項２】
前記メニュー処理部は、前記入力部から指定されたメニュー項目をショートカットとして前記表示部に表示する、
ことを特徴とする請求項１に記載の船舶レーダー表示装置。
【請求項３】
前記メニュー処理部は、前記入力部から指定された船舶の種類、漁法を含むユーザ種別に適合するメニュー項目のみを前記メニューに入れる、
ことを特徴とする請求項１または２のいずれか１項に記載の船舶レーダー表示装置。
【請求項４】
コンピュータを、
船舶レーダーによる処理画像を表示する表示部と、
各種機能に対応するメニュー項目を階層構造のメニューに入れて前記表示部に表示するメニュー処理部と、
外部から情報や指令を入力する入力部、
として機能させ、前記メニュー処理部は、前記入力部から有効なメニュー項目として入力されたメニュー項目のみを前記メニューに入れる、
ことを特徴とする船舶レーダー表示装置用プログラム。
【発明の詳細な説明】
【技術分野】
【０００１】
本発明は、船舶に搭載されるレーダー表示装置およびプログラムに関し、特に、船舶の種類や漁法などに適したメニュー提供が可能な、船舶レーダー表示装置および船舶レーダー表示装置用プログラムに関する。
【背景技術】
【０００２】
船舶レーダー装置には、航法機能や探知機能のみならず多くの機能が装備されており、漁労をアシストするための機能も装備されている（例えば、特許文献１参照。）。例えば、底引き船をアシストするための機能、巻き網船をアシストするための機能、イカ釣り船をアシストするための機能などを備えている。
【０００３】
このような機能は、すべて船舶レーダー装置に装備されており、ユーザが使用する機能を選択して起動させている。すなわち、階層構造のメニューのなかから順次メニュー項目（操作命令）を選択し、最終的に使用する機能のメニュー項目を選択して、その機能を起動させる。
【先行技術文献】
【特許文献】
【０００４】
【特許文献１】特開平１１−１８３５９７号公報
【発明の概要】
【発明が解決しようとする課題】
【０００５】
ところで、ユーザは、自己の船舶種や漁法などに適した機能のみを使用し、他の機能はほとんど使用しない傾向がある。例えば、底引き船の場合、底引き船をアシストするための機能はよく使用するが、巻き網船やイカ釣り船をアシストするための機能はほとんど使用しない傾向がある。
【０００６】
しかしながら、従来の船舶レーダー装置では、すべてのメニュー項目が階層構造のメニューに組み入れられているため、ユーザは使用する機能（メニュー項目）を階層構造のメニューのなかから探して選択しなければならず、煩雑で手間と時間を要する。特に、頻繁に使用する機能の場合、使用するたびに階層構造のメニューのなかから探して選択しなければならず、多大な手間と時間を要する。
【０００７】
そこで本発明は、ユーザが欲する機能を容易かつ迅速に起動させることが可能な、船舶レーダー表示装置および船舶レーダー表示装置用プログラムを提供することを目的とする。
【課題を解決するための手段】
【０００８】
上記課題を解決するために、請求項１に記載の発明は、船舶レーダーによる処理画像を表示する表示部と、各種機能に対応するメニュー項目を階層構造のメニューに入れて前記表示部に表示するメニュー処理部と、外部から情報や指令を入力する入力部と、を備え、前記メニュー処理部は、前記入力部から有効なメニュー項目として入力されたメニュー項目のみを前記メニューに入れる、ことを特徴とする船舶レーダー表示装置である。
【０００９】
この発明によれば、ユーザが入力部から有効なメニュー項目を入力すると、このメニュー項目のみが階層構造のメニューに入れられ、表示部に表示される。
【００１０】
請求項２に記載の発明は、請求項１に記載の船舶レーダー表示装置において、前記メニュー処理部は、前記入力部から指定されたメニュー項目をショートカットとして前記表示部に表示する、ことを特徴とする。
【００１１】
請求項３に記載の発明は、請求項１または２に記載の船舶レーダー表示装置において、前記メニュー処理部は、前記入力部から指定された船舶の種類、漁法を含むユーザ種別に適合するメニュー項目のみを前記メニューに入れる、ことを特徴とする。
【００１２】
請求項４に記載の発明は、コンピュータを、船舶レーダーによる処理画像を表示する表示部と、各種機能に対応するメニュー項目を階層構造のメニューに入れて前記表示部に表示するメニュー処理部と、外部から情報や指令を入力する入力部、として機能させ、前記メニュー処理部は、前記入力部から有効なメニュー項目として入力されたメニュー項目のみを前記メニューに入れる、ことを特徴とする船舶レーダー表示装置用プログラムである。
【発明の効果】
【００１３】
請求項１および請求項４に記載の発明によれば、ユーザが入力、選択したメニュー項目のみが、階層構造のメニューに入れられて表示部に表示されるため、ユーザは使用したいメニュー項目を即座に見つけることができる。この結果、ユーザが欲する機能を容易かつ迅速に起動させることが可能となる。
【００１４】
請求項２に記載の発明によれば、ユーザが指定、選択したメニュー項目がショートカットとして表示部に表示されるため、ユーザは少ない操作（手数）で深い階層にあるメニュー項目を表示させることができる。この結果、ユーザが欲する機能をより容易かつ迅速に起動させることが可能となる。
【００１５】
請求項３に記載の発明によれば、ユーザが船舶の種類や漁法を含むユーザ種別を入力、指定すると、このユーザ種別に適合するメニュー項目のみがメニューに入れられて表示部に表示される。つまり、ユーザ種別を入力するだけで、ユーザに適したメニュー項目のみが表示部に表示されるため、ユーザの負担を軽減することができるとともに、過不足なく適正なメニュー項目のみを表示させることができる。
【図面の簡単な説明】
【００１６】
【図１】この発明の実施の形態に係る船舶レーダー表示装置を示す概略構成ブロック図である。
【図２】図１の船舶レーダー表示装置の表示部の表示例を示す図である。
【図３】図１の船舶レーダー表示装置のメニュー処理部によるメニュー項目の表示、非表示方法を示す図である。
【図４】図１の船舶レーダー表示装置のメニュー処理部によって、すべてのメニュー項目を残したメニュー（ａ）と、底引き船用のメニュー項目のみを残したメニュー（ｂ）と、巻き網船用のメニュー項目のみを残したメニュー（ｃ）を示す図である。
【図５】図１の船舶レーダー表示装置のメニュー処理部によって、船舶の種類を選択する画面を示す図である。
【図６】図１の船舶レーダー表示装置のメニュー処理部によって、あるメニュー項目を「お気に入り」に入れる前の状態を示す図である。
【図７】図１の船舶レーダー表示装置のメニュー処理部によって登録された「お気に入り」リストを、画面に表示した状態を示す図である。
【発明を実施するための形態】
【００１７】
以下、この発明を図示の実施の形態に基づいて説明する。
【００１８】
図１〜図７は、この発明の実施の形態を示し、図１は、この実施の形態に係る船舶レーダー表示装置１を示す概略構成ブロック図である。この船舶レーダー表示装置１は、装置本体２と、表示部３と、入力部４と、メニュー処理部５と、を備えるが、主としてメニュー処理部５が従来の船舶レーダー表示装置と構成が異なる。
【００１９】
装置本体２は、船舶レーダー表示装置１における主要部であり、船舶レーダーによる各種解析処理や外部インターフェイス制御、航路作成などにおける表示処理を行うものである。表示部３は、図２に示すように、船舶レーダーによる処理画像などを表示するディスプレイである。入力部４は、ユーザなどの外部から情報や指令を入力するインターフェイスであり、キーパッドやマウス、タッチパネルなどから構成される。
【００２０】
メニュー処理部５は、各種機能（操作）に対応するメニュー項目（操作命令）を階層構造のメニューに入れて表示部３に表示するタスク・プログラムである。すなわち、すべてのメニュー項目が組み入れられた階層構造のメニュー（全メニュー）が、予めメモリに記憶され、この全メニューをメニュー処理部５によってカスタマイズするものである。
【００２１】
まず、メニュー処理部５は、入力部４から有効なメニュー項目として入力されたメニュー項目のみをメニューに入れる。すなわち、全メニューの全メニュー項目のなかから、選択されたメニュー項目のみを有効にして表示対象とする。具体的には、例えば、入力部４で表示部３の画面中の「メニュー」ボタン３１がクリックされ、「設定」のなかの「メニューの表示」が選択されると、図３に示すような「メニューの表示」の画面を表示部３に表示する。この画面には、全メニューの全メニュー項目が階層的に表示され、さらに、各メニュー項目にチェックボックスが設けられている。このチェックボックスには、初期値としてチェックが付けられている。
【００２２】
そして、入力部４でチェックボックスのチェックが外されると、該当するメニュー項目とその下層のメニュー項目をすべて非表示対象とし、メニューから外す。また、入力部４でチェックボックスがチェックされると、該当するメニュー項目とその下層のメニュー項目をすべて表示対象とし、メニューに組み入れる。このように、この実施の形態では、チェックボックスがチェックされたメニュー項目とその下層のメニュー項目を有効なメニュー項目とし、これらのメニュー項目のみをメニューに残して表示する。従って、この設定後は、各メニューを表示させた際には、チェックが外れたメニュー項目とその下層のメニュー項目は表示されずに、チェックされたメニュー項目とその下層のメニュー項目のみが表示される。
【００２３】
例えば、「ツール」メニューの場合、初期のメニュー（全メニュー）では、図４（ａ）に示すように、ＭＯＢ、ＰＩ（平行線カーソル）、ＥＢＬマニューバなどの全メニュー項目が表示される。これに対して、底引き船に必要なＭＯＢと菱型カーソルとファイル管理を有効なメニュー項目に設定すると、図４（ｂ）に示すように、ＭＯＢと菱型カーソルとファイル管理のみが「ツール」メニューに表示される。同様に、巻き網船に必要なＰＩ（平行線カーソル）と基準位置編集を有効なメニュー項目に設定すると、図４（ｃ）に示すように、ＰＩ（平行線カーソル）と基準位置編集のみが「ツール」メニューに表示される。ここで、図４（ｂ）、（ｃ）に示すように、非表示のメニュー項目を詰めて、有効なメニュー項目のみが表示される。
【００２４】
このように、選択された個々のメニュー項目を表示、非表示の対象にできるほか、メニュー処理部５は、入力部４から指定された船舶の種類、漁法を含むユーザ種別に適合するメニュー項目のみをメニューに入れて表示する。すなわち、船舶の種類や漁法などのユーザ種別が入力部４で入力されると、入力されたユーザ種別に適合するメニュー項目のみを有効にして表示対象とする。
【００２５】
具体的には、ユーザ種別ごとに必要と推定されるメニュー項目が予め設定、記憶されている。そして、例えば、入力部４で表示部３の画面中の「メニュー」ボタン３１がクリックされ、船舶の種類（ユーザ種別）を選択するメニュー項目が選択されると、図５に示すような「初期設定」の画面を表示部３に表示する。この画面では、自船が商船であるか漁船であるかを選択可能となっている。次に、入力部４で船舶の種類が選択されると、この船舶に必要と推定されるメニュー項目のみを表示対象とし、他のメニュー項目を非表示対象とする。従って、この設定後は、各メニューを表示させた際には、選択された船舶に必要なメニュー項目のみが表示される。
【００２６】
さらに、この実施の形態では、商船が選択されると、自動的に商船用航路で航路作成し、漁船が選択されると、自動的に漁船用航路で航路作成する。また、商船が選択されると、自動的に商船用の信号処理を行い、漁船が選択されると、自動的に漁船用の信号処理を行って、レーダーの見え方を変える。
【００２７】
同様に、入力部４で表示部３の画面中の「メニュー」ボタン３１がクリックされ、漁法（ユーザ種別）を選択するメニュー項目が選択されると、漁法を選択する画面を表示部３に表示する。次に、入力部４で漁法が選択されると、この漁法に必要と推定されるメニュー項目のみを有効なメニュー項目つまり表示対象とし、他のメニュー項目を非表示対象とする。従って、この設定後は、各メニューを表示させた際には、選択された漁法に必要なメニュー項目のみが表示される。
【００２８】
具体的に、底引き漁法が選択された場合には、例えば、上記の「ツール」メニューにおいて、図４（ｂ）に示すように、ＭＯＢと菱型カーソルとファイル管理のみを有効なメニュー項目として表示する。また、巻き網漁法が選択された場合には、例えば、上記の「ツール」メニューにおいて、図４（ｃ）に示すように、ＰＩ（平行線カーソル）と基準位置編集のみを有効なメニュー項目として表示する。
【００２９】
また、メニュー処理部５は、入力部４から指定されたメニュー項目をショートカットとして表示部３に表示する。すなわち、ユーザによって指定されたメニュー項目を「お気に入り」リストに登録し、「お気に入り」リストからメニュー項目が選択されると、このメニュー項目を即座に起動させるものである。
【００３０】
具体的には、特定のメニュー項目が起動されて、例えば、図６に示すような画面が表示部３に表示され、画面中の「お気に入り」登録ボタン３２がクリックされると、このメニュー項目を「お気に入り」（ショートカット）として「お気に入り」リストに登録する。例えば、図６の「信号処理」のメニュー項目が、図７に示すような「お気に入り」リストに登録される。ここで、「お気に入り」リストに登録される前は、「お気に入り」登録ボタン３２の星印が白塗で、「お気に入り」リストに登録されると、「お気に入り」登録ボタン３２の星印が黒塗りとなる。
【００３１】
一方、どの画面においても図７に示すようなツールバー３３が基本的に表示されており、このツールバー３３に「お気に入り」表示ボタン３４が含まれている。そして、「お気に入り」表示ボタン３４がクリックされると、「お気に入り」リストに登録された全メニュー項目を表示し、さらに、いずれかのメニュー項目がクリックされると、このメニュー項目を起動させる。
【００３２】
以上のように、この船舶レーダー表示装置１によれば、ユーザが入力、選択したメニュー項目のみが、階層構造のメニューに入れられて表示部３に表示されるため、ユーザは使用したいメニュー項目を即座に見つけることができる。この結果、ユーザが欲する機能、操作を容易かつ迅速にアクセス、起動させることが可能となる。
【００３３】
しかも、ユーザが船舶の種類や漁法を含むユーザ種別を入力、指定すると、このユーザ種別に適合するメニュー項目のみがメニューに入れられて表示部３に表示される。つまり、ユーザ種別を入力するだけで、ユーザに適したメニュー項目のみが表示部３に表示されるため、ユーザの負担を軽減することができるとともに、過不足なく適正なメニュー項目のみを表示させることができる。
【００３４】
また、ユーザが指定、選択したメニュー項目が「お気に入り」（ショートカット）として表示部３に表示されるため、ユーザは少ない操作（手数）で深い階層にあるメニュー項目を表示させることができる。この結果、ユーザが欲する機能、操作をより容易かつ迅速に起動させることが可能となる。
【００３５】
以上、この発明の実施の形態について説明したが、具体的な構成は、上記の実施の形態に限られるものではなく、この発明の要旨を逸脱しない範囲の設計の変更等があっても、この発明に含まれる。例えば、有効なメニュー項目の選択方法やショートカットの作成方法は、上記の方法に限らなくてもよい。また、ユーザ種別として船舶の種類と漁法を挙げているが、釣る魚の種類などをユーザ種別に含めてもよい。
【００３６】
ところで、上記の実施の形態では、船舶レーダー表示装置１に適用した場合について説明したが、次のような船舶レーダー表示装置用プログラムを魚群探知機などにインストールして適用してもよい。すなわち、コンピュータを、船舶レーダーによる処理画像を表示する表示部３と、各種機能に対応するメニュー項目を階層構造のメニューに入れて表示部３に表示するメニュー処理部５と、外部から情報や指令を入力する入力部４、として機能させ、メニュー処理部５は、入力部４から有効なメニュー項目として入力されたメニュー項目のみをメニューに入れる、ことを特徴とする船舶レーダー表示装置用プログラム。
【００３７】
１        船舶レーダー表示装置
２        装置本体
３        表示部
４        入力部
５        メニュー処理部
【図１】
2019020257.tif 000003
【図２】
2019020257.tif 000004
【図３】
2019020257.tif 000005
【図４】
2019020257.tif 000006
【図５】
2019020257.tif 000007
【図６】
2019020257.tif 000008
【図７】
2019020257.tif 000009